(57)【要約】【課題】撮影時の感度が高く撮影される場合に、撮影前に、通常よりノイズになることをユーザに報知することが可能な撮像装置を提供することを目的とする。【解決手段】撮影感度が一定の感度より高いか否かを判断する（ステップＳ５０１）。ここでは、撮影時の感度の計算により決定された撮影感度と、予め決められている感度との比較を行う。予め決められている一定の感度とは、例えばＩＳＯ４００など、それ異常の感度で撮影すると撮影画像がノイズになると思われるような感度を信号処理ＩＣのプログラムに記録させておく。これと実際に計算された記録時に使用する感度を比較し、撮影感度が高い場合には（ステップＳ５０１／ＹＥＳ）、高感度警告処理を実施し（ステップＳ５０２）、低い場合には（ステップＳ５０１／ＮＯ）、そのまま終了となる。【選択図】図７
2007295281.tif 000002
【特許請求の範囲】
【請求項１】
シャッタボタンの押圧操作により撮影行い、撮影画像並びに撮影情報を表示する表示部を備えた撮影装置において、
被写体を表す光学像を電気信号に変換する撮像手段と、
前記電気信号を映像処理信号に変換する信号処理手段と、
前記信号処理手段により変換された映像信号を情報記録媒体に記憶する画像記録手段と、
撮影シーンにより撮影時の感度を計算する撮影感度計算手段と、
前記撮影感度計算手段による撮影時の感度が一定の感度より高いか否かを判定する高感度撮影判定手段とを有する撮影装置であって、
前記高感度撮影判定手段により撮影感度が高いと判定された場合に、
高感度の撮影がなされることを前記表示部に警告表示することを特徴とする撮像装置。
【請求項２】
前記高感度撮影判定手段における前記一定の感度を選択することが可能な高感度判定選択手段を有することを特徴とする請求項１記載の撮像装置。
【請求項３】
前記高感度撮影判定手段が一定の感度より撮影感度が高いと判定された場合に、撮影感度を前記表示部に表示することを特徴とする請求項１または２記載の撮像装置。
【請求項４】
前記警告表示は、スルー画にノイズを付加した画像を前記表示部に表示されることを特徴とする請求項１から３のいずれか１項に記載の撮像装置。
【請求項５】
前記警告表示は、前記シャッタボタンの押圧操作時に前記表示部に表示されることを特徴とする請求項１から３のいずれか１項に記載の撮像装置。
【請求項６】
通常撮影モードと、該通常撮影モードで設定されている感度より高感度に設定可能な高感度モードを有し、
前記警告表示は、前記高感度モードの選択時に前記表示部へ表示されることを特徴とする請求項１から５のいずれか１項に記載の撮像装置。
【発明の詳細な説明】
【技術分野】
【０００１】
本発明は、撮像装置に関し、特に、ユーザにノイズの発生を報知することが可能な撮像装置に関する。
【背景技術】
【０００２】
従来、銀塩カメラとは異なり、デジタルカメラでは撮影時の感度を撮影シーンに応じて変更することができる。屋外など明るい撮影シーンでは感度を低く設定し、屋内などの暗い撮影シーンでは感度を高くし、シャッタ速度があまり遅くならないようにするのはデジタルカメラの特徴の一つである。
【０００３】
しかしながら感度を高くすると、感度が低い場合と比べて撮影される画像がノイズ目立ってしまう問題が発生する。銀塩カメラでも感度の高いフィルムが、感度の低いフィルムで撮影するよりもノイズが目立たないことは周知であるが、現在のデジタルカメラの場合はフィルムの場合よりもノイズが目立ってしまい、感度の高い撮影を好まないのが現実である。
【０００４】
一方で、感度を上げることで手ぶれや、被写体ぶれが軽減でき、多少ノイズになってもぶれた写真よりはましであるという場合もある。つまり多少ノイズ感が増したとしても感度を上げることでシャッタ速度を短くし、手ぶれおよび被写体ぶれを軽減させる。感度アップによりノイズ感が増えてしまうことと、被写体ぶれを防止することはトレードオフの関係にあり、一般的にＩＳＯ感度オートモードでは感度を上げるリミッタをもうけ、ノイズまみれの画像にならない範囲で感度を制御している。
【０００５】
ところで、このＩＳＯ感度オートモードでは現在の撮影がどの程度のＩＳＯ感度で撮影されるのかが簡単にわからないという問題がある。ユーザは撮影した後、ＰＣ等で画像を確認してみると自身が想定していたよりもノイズで写真が台無しになってしまう。このような失敗を防止するために、許容範囲以上に感度が上がらないようにするためにＩＳＯ感度固定モードを使い、撮影するという方法があるが、そのような煩わしい作業を行わなければならないということや、オートＩＳＯ感度モードで撮影した方が感度が低く撮影できたのに固定モードで撮影したため感度が高くなってしまうといった問題が発生する。
【０００６】
また、特許文献１で提案されている撮像装置では、撮影時のシャッタスピード等の情報を表示部に表示することで手ぶれ等が発生しないかをユーザが判断できるようにしたもので、ノイズの軽減を目的としている。
【特許文献１】特開２００４−１５９１５０号公報
【発明の開示】
【発明が解決しようとする課題】
【０００７】
最近のデジタルカメラでは撮影時の手ぶれを防止（軽減）する手ぶれ防止機能を備えているものが多くなっている。手ぶれを防止する機能を実現するのには様々な方法が提案されているが、大きく分類すると次の２つのものになる。１つ目の方法は撮影時のぶれに対応して、ぶれを打ち消す方向にレンズユニットもしくはＣＣＤユニットを動かす方法である。この方法方はレンズもしくはＣＣＤユニットを動かすための機構が必要であるということと、いわゆる被写体ぶれには対応できないという欠点がある。
【０００８】
２つ目の方法は撮影時の感度を上げることにより手ぶれを防止（軽減）するという方法である。この方法は被写体ぶれも防止することができるが、撮影時の感度を通常より上げる必要があるため、撮影される画像が通常の撮影と比べノイジィになるという問題がある。デジタルカメラではＣＣＤユニットが受光した光を光電変換することで光を電気信号に変換し、この電気信号に対し感度に応じたゲインを乗算し、その信号ＡＤ変換することでデジタルデータに変換する。感度を上げるということは少ない電気信号に対し、通常より大きなゲインを乗算するということを意味しており、Ｓ／Ｎが悪くなる。日々の技術進歩により同じ感度に対するＳ／Ｎは改善されているが低感度より高感度の方がＳ／Ｎが悪くなることは変わらない。
【０００９】
ところで従来の技術では撮影時の感度（ＩＳＯ感度）を手動で設定できるモードと、被写体の明るさに応じてＡＵＴＯでカメラが感度（ＩＳＯ感度）を設定するＡＵＴＯＩＳＯ感度モードがある。また最近のカメラでは手ぶれ軽減モードと謳うモードを有しており、通常のＡＵＴＯより設定されるＩＳＯ感度の上限を高くすることで手ぶれを軽減するというものがある。このようなＡＵＴＯＩＳＯ感度モードや、手ぶれ軽減モードでは、撮影される前にどのくらいの感度で撮影されるのかを容易に知ることができず、撮影後確認してみると非常にノイジィで写真として使い物にならないといった問題が発生してしまう。
また例えば、ＩＳＯ感度ＡＵＴＯモードではＩＳＯ１００〜ＩＳＯ４００までの間で最適な感度が設定されますとマニュアルに記載してあったとしてもあるユーザはＡＵＴＯＩＳＯ感度のリミットであるＩＳＯ４００の撮影ノイズを許しても、別のユーザはＩＳＯ２００までしか許せないというようなことがある。このようなユーザはＩＳＯ感度固定モードを使い撮影するという煩わしい作業を行わなければならない。
【００１０】
本発明は、係る問題を鑑みてなされたものであり、撮影時の感度が高く撮影される場合に、撮影前に、通常よりノイズになることをユーザに報知することが可能な撮像装置を提供することを目的とする。
【課題を解決するための手段】
【００１１】
上記目的を達成するために、本発明の撮像装置は、シャッタボタンの押圧操作により撮影行い、撮影画像並びに撮影情報を表示する表示部を備えた撮影装置において、被写体を表す光学像を電気信号に変換する撮像手段と、電気信号を映像処理信号に変換する信号処理手段と、信号処理手段により変換された映像信号を情報記録媒体に記憶する画像記録手段と、撮影シーンにより撮影時の感度を計算する撮影感度計算手段と、撮影感度計算手段による撮影時の感度が一定の感度より高いか否かを判定する高感度撮影判定手段とを有する撮影装置であって、高感度撮影判定手段により撮影感度が高いと判定された場合に、高感度の撮影がなされることを表示部に警告表示することを特徴とする。
【００１２】
また、本発明によれば、高感度撮影判定手段における一定の感度を選択することが可能な高感度判定選択手段を有することを特徴とする。
【００１３】
また、本発明によれば、高感度撮影判定手段が一定の感度より撮影感度が高いと判定された場合に、撮影感度を表示部に表示することを特徴とする。
【００１４】
また、本発明によれば、警告表示は、スルー画にノイズを付加した画像を表示部に表示されることを特徴とする。
【００１５】
また、本発明によれば、警告表示は、シャッタボタンの押圧操作時に表示部に表示されることを特徴とする。
【００１６】
さらに、本発明によれば、通常撮影モードと、該通常撮影モードで設定されている感度より高感度に設定可能な高感度モードを有し、警告表示は、高感度モードの選択時に表示部へ表示されることを特徴とする。
【発明の効果】
【００１７】
本発明によれば、感度の高い撮影が行われる場合に、撮影する前に高感度撮影であることをユーザに報知することができることから、ユーザが事前に撮影の条件設定を変更することができ、撮影の失敗を防止することができる。
【発明を実施するための最良の形態】
【００１８】
次に、図面を参照して、本実施形態について説明する。
図１は、本実施形態に係る撮像装置であるデジタルカメラ１００の外観図である。
【００１９】
図１（ａ）は、デジタルカメラ１００の上面図であり、デジタルカメラ１００を上部から見ると、レリーズシャッタ（ＳＷ１）や、いろいろな撮影モードや再生モードなどの切り換えるモードダイアル（ＳＷ２）や、残枚数やバッテリーエンドなどを表示するサブＬＣＤ１０１などがある。
【００２０】
さらに、デジタルカメラ１００を正面から見ると、電池や、ＳＤカードなどの記録媒体である外部メモリを、カメラ本体に格納するためのＳＤカード／電池蓋１０２がある。また、撮像レンズを格納している鏡胴ユニット１０７やリモコン受光部１０６、オートフォーカスを実現するために被写体までの距離を測定する測距ユニット１０４やストロボ発光部１０３、光学ファインダ１０５が設けられている。
【００２１】
図１において、デジタルカメラを背面から見ると、オートフォーカス（ＡＦ）で焦点距離があったことをユーザに知らせるためのオートフォーカスＬＥＤ１０９や、ストロボ充電完了をユーザに知らせるためのストロボＬＥＤ１１０や、光学ファインダ１０５や、ズームをＴｅｌｅ方向あるいはＷｉｄｅ方向に動作させるためのズームスイッチ（ＳＷ３，ＳＷ４）がある。また、本体の電源をＯＮ／ＯＦＦするための電源スイッチ（ＳＷ１３）や、モニタリング画像を表示したり、設定画面を表示するためのＬＣＤモニタ１０８や、その他の上下左右スイッチ（ＳＷ７〜ＳＷ１０）や、頻繁に使うセルフタイマスイッチ（ＳＷ５）、ＯＫスイッチ（ＳＷ１１）、ディスプレイスイッチ（ＳＷ１２）などがある。
【００２２】
図２は、デジタルカメラ１００内部の機能ブロックの構成を示した図である。
図２に示すように、受光面に結像される被写体光を光電変換し、撮像信号として出力する電子シャッタ機能を備えたＣＣＤ２０５が設けられ、このＣＣＤ２０５の前段には、ＣＣＤ２０５の受光面に被写体光像を結像するレンズ部２０１，２０２とＣＣＤ２０５の間には、被写体光像のＣＣＤ２０５への入射と入射遮断の制御をするシャッタ機構部２０３が配設され、ＣＣＤ２０５の出力端子には、撮像信号の信号処理を行う撮像信号処理ユニット（Ｆ／Ｅ）２００が接続されている。
【００２３】
この撮像信号処理ユニット２００においては、ＣＣＤ２０５の出力端子に接続され、入力される撮像信号の雑音抑制を行うＣＤＳ回路２０６が設けられ、ＣＤＳ回路２０６の出力端子には、利得補正を行うＡＧＣ２０７が接続され、ＡＧＣ２０７の出力端子には、雑音抑制と利得補正が施された撮像信号に対して、例えばＮＴＳＣ信号のサブキャリア周波数の整数倍でＡＤ変換を行うＡＤ変換回路２０８が接続されており、さらに、ＣＣＤ２０５、ＣＤＳ回路２０６、ＡＧＣ２０７及びＡＤ変換回路２０８にそれぞれ制御タイミング信号を出力するＴＧ（タイミング信号発生回路）２０９が配設されている。
【００２４】
以上に説明した構成を有する撮像信号処理ユニット２００には、撮像信号処理ユニット２００からの出力信号に対して信号処理を行う信号処理ユニット（信号処理ＩＣ）３００が接続されており、この信号処理ユニット３００においては、ＡＤ変換回路２０８の出力端子に接続され、インタフェース動作を行うＣＣＤインタフェース３０１が設けられ、ＣＣＤインタフェース３０１の第１の出力端子には、信号処理の総合制御を行うメモリコントローラ３０２が接続され、ＣＣＤインタフェース３０１の第２の出力端子からは、前述のＴＧ２０９に、垂直同期信号ＶＤと水平同期信号ＶＨとが入力されるように構成されている。
【００２５】
さらに、信号処理ユニット３００においては、メモリコントローラ３０２にＲＧＢデータに対してＹＵＶ変換を行うＹＵＶ変換回路３０４、ＪＰＥＧ規格のデータ圧縮・伸張を行う圧縮・伸張処理ブロック３０５、及び表示信号のインタフェース動作を行う表示出力制御部３０３とリサイズ処理部３０６とが接続され、表示出力制御部３０３はＬＣＤモニタ８００への表示出力の制御を行う。
【００２６】
さらに、信号処理ユニット３００のメモリコントローラ３０２には、ＲＧＢデータ、ＹＵＶ変換データ及びＪＰＥＧ圧縮データが格納されるＳＤＲＡＭ４００、全体の撮影動作を制御するＣＰＵ３０８、外部記録媒体とのインタフェース動作を行うメディアＩ／Ｆ３０７が接続され、さらに、圧縮データの記録・再生が行われるメモリカード７００が接続されている。
【００２７】
また、ＣＰＵ３０８には、ユーザにより各種の撮影指令信号が入力される操作部５００、レンズ２０１、２０２とシャッタ機構部２０３とを駆動するモータドライバ２０４、及びＴＧ２０９が接続されている。
【００２８】
次に、デジタルカメラ１００における静止画撮影の処理動作について説明する。
まず、レリーズシャッタボタン１０１が押下されると、撮影に先立ちＡＦ処理が行われる。例えば、フォーカスレンズを移動させながらコントラストの最大値を見つける山登りＡＦなどが行われ、フォーカスを合わす。次に静止画撮影用の電子シャッタ本数の計算と設定と絞りの計算の設定が行われ（ＡＥ処理）、記録用の露光が行われる。露光完了時点でメカシャッタが閉じられ、ＣＣＤ２０５より静止画用のＲＡＷデータが出力される。
【００２９】
レリーズ処理（半押し）、レリーズ処理２（全押し）を搭載しているカメラシステムではレリーズ処理１の時においてＡＥ処理の計算を行い、レリーズ２処理で設定および記録用の露光が行われるような制御になっているのが一般的である。
【００３０】
静止画用ＲＡＷデータはＳＤＲＡＭ４００に取り込まれる。例えば、インタレース転送であれば、複数回の転送によって全てのＣＣＤデータがＲＡＷデータとしてＳＤＲＡＭ４００に書き込まれる。全てのＲＡＷデータは、ＹＵＶ変換部３０４でＹＵＶデータに変換されてＳＤＲＡＭ４００に書き戻される。一般的には、ＹＵＶ変換時にＷＢ（ホワイトバランス）の設定値は、ＣＣＤ２０５から出力されるＲＡＷデータを信号処理ユニット３００に取り込む時に得られるＲＧＢの積算結果を元にして計算される。一般的にはＧ画素に対するＲ画素の割合を計算し、Ｒ＝Ｇ＝Ｂとなるようなゲインをそれぞれの画素に乗算することで実現できる。ただし、この処理で色が合わせることができるのは白色の被写体を撮影した場合であり、一般撮影においては、撮影画像から白色を抽出する処理を行い、その抽出画像に対し、上記処理を行うことでＡＷＢが実現できる。
【００３１】
ＹＵＶに変換されたデータはフルサイズ（ＣＣＤサイズ）であり、記録画像サイズがＣＣＤサイズよりも小さいサイズで記録される場合は、リサイズ処理部３０６で画像が縮小される。撮影データの表示を行う場合も小さいサイズに縮小し、ＳＤＲＡＭ４００に書き戻され、表示出力制御部３０３を介して表示装置に送られて表示が行われる。
【００３２】
記録用に用意されたＹＵＶ画像は、圧縮部でＪＰＥＧ圧縮が行われる。ＪＰＥＧ圧縮結果はＳＤＲＡＭ４００に書き戻され、ヘッダ追加などの処理が行われた後にメモリカード７００へデータが保存される。以上が一般的な静止画撮影の処理動作である。
【００３３】
次に、図３〜図８を参照して、本実施形態に係るデジタルカメラ１００の処理動作について説明する。
図３に示すステップＳ１００では、特に条件を設けずに高感度撮影警告を実施する処理動作を示し、図４では、高感度モードがＯＮされている場合に高感度撮影警告を実施する処理動作である。ステップＳ２００では、高感度モードがＯＮか否かを判断し（ステップＳ２００）、高感度モードがＯＮの場合には（ステップＳ２００／ＹＥＳ）、高感度警告を実施する（ステップＳ２０１）。また、高感度モードがＯＦＦの場合には、（ステップＳ２００／ＮＯ）、そのまま終了となる。
【００３４】
また、図５には、高感度警告を行うタイミングについて示したフローチャートである。
まず、高感度モードがＯＮになっているかを判断する（ステップＳ３００）。高感度モードがＯＮになっている場合には（ステップＳ３００／ＹＥＳ）、ＲＬ１（半押し）がＯＮであるかを判断する（ステップＳ３０２）。ＲＬ１がＯＮである場合には、高感度警告を実施する（ステップＳ３０２）。図５に示す処理動作では、ＲＬ１状態の時のみ高感度警告を実施することができ、撮影する前の状態で高感度撮影が行われることをユーザに報知することができる。
なお、高感度モードがＯＦＦの場合（ステップＳ３００／ＮＯ）、ＲＬ１がＯＦＦの場合（ステップＳ３０１／ＮＯ）は、そのまま終了となる。
【００３５】
図６は、固定ＩＳＯ感度設定中に高感度警告を実施する処理動作を示したフローチャートである。
まず、固定ＩＳＯ感度設定中であるかを判断する（ステップＳ４００）。固定ＩＳＯ感度設定中である場合は（ステップＳ４００／ＹＥＳ）、高感度警告を実施する（ステップＳ４０１）。また、固定ＩＳＯ感度設定中でない場合は（ステップＳ４００／ＮＯ）、そのまま終了となる。これにより、選択されたＩＳＯ感度が撮影時のＩＳＯ感度となり、この選択感度が一定の感度より高い場合は、高感度警告を行うことができ、ＩＳＯ感度の選択と、ノイズの関係をユーザに報知することができる。
【００３６】
次に、図７と図８を参照して、高感度警告の処理動作について説明する。
まず、高感度警告に先立ち、撮影時の感度計算を行う（ステップＳ５００）。感度（ＩＳＯ感度、Ｓｖ）の計算は、被写体の明るさ（Ｂｖ）に対し、適正露出となるように絞り値（Ａｖ）、シャッタ秒時（Ｔｖ）の組み合わせで計算される。シャッタ秒時を長くすれば低い感度で撮影できるが、それでは、手ぶれが発生してしまうので、手ぶれしない程度の条件（例えばシャッタ秒時１／３０までとする）まで感度を上げて撮影を行う。つまりシャッタ秒時が長くなることによる手ぶれと、感度を上げることによるノイズの増大はトレードオフの関係ある。
【００３７】
次に、撮影感度が一定の感度より高いか否かを判断する（ステップＳ５０１）。ここでは、撮影時の感度の計算により決定された撮影感度と、予め決められている感度との比較を行う。予め決められている一定の感度とは、例えばＩＳＯ４００など、それ異常の感度で撮影すると撮影画像がノイズになると思われるような感度を信号処理ＩＣのプログラムに記録させておく。これと実際に計算された記録時に使用する感度を比較し、撮影感度が高い場合には（ステップＳ５０１／ＹＥＳ）、高感度警告処理を実施し（ステップＳ５０２）、低い場合には（ステップＳ５０１／ＮＯ）、そのまま終了となる。
【００３８】
図８に示す高感度警告処理では、撮影感度計算を行い（ステップＳ６００）、次に、設定された一定の感度の読み出しを行い（ステップＳ６０１）、図７に示すステップＳ５０１と同様に、撮影感度が一定の感度より高いかを判断する（ステップＳ６０２）。撮影感度が一定の感度より高い場合には（ステップＳ６０２／ＹＥＳ）、高感度警告処理を行い、撮影感度が一定の感度より低い場合（ステップＳ６０２／ＮＯ）は、そのまま終了となる。
【００３９】
図８に示す処理動作によりノイズについて寛容なユーザは、一定の感度をＩＳＯ５００に、ノイズに対して寛容でないユーザはＩＳＯ２００にと、ユーザによりカスタマイズすることができる。
【００４０】
次に、高感度警告処理について説明を行う。
ここでは、具体的な警告処理を実現する例として、ＯＳＤを利用し警告する方法と、ＡＦＥ（ＣＤＳ，ＴＧ）を利用して警告する方法を示す。
【００４１】
（１）ＯＳＤ（On Screen Display）を利用する方法
ＯＳＤは現在のデジタルカメラでは当たり前に使われている技術でデジタルカメラで言うならば自然画の上に作成した情報を重ね合わせて表示する技術である。重ね合わせる情報をもったプレーンを用意しておき、自然画と重ね合わせてＬＣＤ等に表示することが可能である。
【００４２】
図９は前述のＯＳＤ技術を利用しＬＣＤ上にスルー画とともにノイジィであることを示すＮＯＩＳＥという表示を示しているイメージである。ＮＯＩＳＥという表示を点灯表示するなど、よりユーザに目立つ表示を行うことも有効である。ＮＯＩＳＥという分かりやすい表示であまりデジタルカメラに詳しくないユーザであってもノイズが多くなると理解することができる。
【００４３】
図１０はＬＣＤに記録時のＩＳＯ感度を重ね合わせ表示させた例である。高感度時に具体的なＩＳＯ感度を表示することで、例えば被写体に応じて記録するか否かの判断ができる。多少ノイズが多くても許されるような被写体を撮影する場合は、高感度警告がされてもそのまま撮影すればよいし、人物撮影などノイズが発生しては困る場合は低ＩＳＯ感度に固定するようにし、撮影を行うようにするなどの判断が可能となる。
【００４４】
図１１はＬＣＤにノイズを表すノイズプレーンを重ね合わせ表示させた例である。ＮＯＩＳＥという文字や、ＩＳＯ感度を示すよりもより具体的にノイズが発生することをユーザに知らせることができる。ノイズの大きさを示すノイズプレーンを複数用意しておき、撮影される感度に応じてどのノイズプレーンを重ね合わせて表示するかを選択することができる。図１２〜図１４はノイズプレーンの例である。ノイズプレーンはビットマップデータとして信号処理ＩＣに用意しておけばよい。撮影感度が高い時は図１４のような激しいノイズを示すプレーンを選択し、高感度撮影の中でも相対的に感度が低い場合は図１２のような小ノイズを示すプレーンを選択するようにする。このように高感度撮影時のＩＳＯ感度に応じてノイズプレーンを変更しながら高感度警告を実現する方法と、プレーンの変更はせず、先述の一定のＩＳＯ感度より撮影感度が大きいときは感度に関らず高感度撮影であることを示すノイズプレーンを重ね合わせ表示することで高感度警告する方法が考えられる。
【００４５】
図１５は固定ＩＳＯ感度選択時に選択感度に応じてノイズプレーンを重ね合わせて表示している例である。先述しているがＩＳＯ感度とノイズの関係について認識していないユーザに高感度警告を実現するのに有効である。ＩＳＯ感度の設定が高感度になるにつれノイズのプレーンを激しいノイズを示すものに変更するのが有効である。
【００４６】
（２）ＡＦＥ（ＣＤＳ，ＴＧ）を利用する方法
先述したＯＳＤによる警告表示は明快であり、ユーザに高感度撮影であることを知らせるのに有効な手段であるが，実現に伴いＣＰＵのパワーを余分に使ったり、ＯＳＤのプレーンをあらかじめ用意しなければならないなどのデメリットもある。またノイズが多くなること自体は明確に知らせることができるが実際に撮影された画像がどれくらいノイジィになるかのイメージはなかなかつかみにくいところがある。そこでよりリアルなノイズ感も表現できる警告表示方法として、ＡＦＥを利用した方法を実施例として示す。図１６はＡＦＥを利用した高感度警告表示のイメージである。ＯＳＤで表示を行うと、ＯＳＤで表示されている部分のスルー画が隠れてしまい被写体が確認しづいらいというデメリットがあるが、ＡＦＥを利用すれば実際のスルー画自体にノイズを加えることとなるのでそのようなデメリットはない。以下その方法を示す。
【００４７】
（２−１）スルー画の感度を上げることでノイズ感を表現する。
先述したように、デジタルカメラの撮像部の主なシステムは、ＣＣＤ、ＣＣＤを駆動するＴＧ（制御信号発生器）、ＣＣＤ出力電気信号（アナログ画像データ）をサンプリングするＣＤＳ、このサンプリングされたデータのゲインを調整するＡＧＣ（ＡＵＴＯ  ＧＡＩＮ  ＣＯＮＴＲＯＬ）、デジタル信号に変換するＡ／Ｄ変換器から構成されている。記録ＩＳＯ感度のコントロール方法の１つは先述したＡＧＣを設定することで実現する。高感度警告処理としては、このＡＧＣの設定を現在のスルー画時の設定より高くすることでノイズ感をよりリアルに表現できる。スルー画時と、記録時とでは信号処理するデータや、仕組みが若干異なるので記録時のノイズ加減をスルー画で完全に表現することは不可能であるが、ある程度シミュレートすることは可能である。ノイズと言ってもいろいろあるのでユーザが高感度警告されているスルー画を見て、撮影するか否かの判断をくだすことができる。
【００４８】
（２−２）ＴＧの設定を変更することでノイズ感を表現する。
ＡＦＥを利用したノイズ表現としてＴＧにより、ＣＣＤから出てくる信号をサンプリングするタイミングをわざとずらすことで実現することができる。ＣＤＳによりＣＣＤから出てくるデータをサンプリングするのだが、このタイミングはＴＧにより設定している。データをサンプリングするタイミングがずれるとまともな画像データが得られず結果としてノイジィな画像を作りだすことができる。この方式のメリットとして、ＡＧＣによるゲイン値が最大であっても実現できることである。一般的にモニタリング時のＡＧＣの設定値は元々大きな値となっており、元々ノイジィである。これはモニタリング時の記録秒時が小さく感度を上げざるを得ないからである。
【００４９】
高感度警告処理がＬＣＤに表示されるメリットとして撮影時にユーザが容易に警告表示に気づくことができることである。ＬＣＤ表示パネルを供えた撮像システムでは、ＬＣＤ表示パネルで被写体を確認しながら撮影するスタイルが一般的であり、ここに警告表示をさせることでほぼ間違いなく警告をユーザにしらせることができる。また、デジタル一眼システムのように、被写体の確認をビューファインダーまたは電子ビューファインダー等を利用するシステムはビューファインダ−に高感度警告表示を行えばよい。その他、警告音を鳴らすことで高感度警告を実現することも考えられる。
【図面の簡単な説明】
【００５０】
【図１】図１（ａ）は、デジタルカメラの上面図であり、図１（ｂ）はデジタルカメラの正面図であり、図１（ｃ）は、デジタルカメラの背面図である。
【図２】図１に示したデジタルカメラの構成を示したブロック図である。
【図３】本実施形態に係るデジタルカメラの処理動作を示したフローチャートである。
【図４】本実施形態に係るデジタルカメラの処理動作を示したフローチャートである。
【図５】本実施形態に係るデジタルカメラの処理動作を示したフローチャートである。
【図６】本実施形態に係るデジタルカメラの処理動作を示したフローチャートである。
【図７】本実施形態に係るデジタルカメラの処理動作を示したフローチャートである。
【図８】本実施形態に係るデジタルカメラの処理動作を示したフローチャートである。
【図９】スルー画にＮＯＩＳＥという表示を示したイメージ図である。
【図１０】ＩＳＯ感度を表示させたイメージ図である。
【図１１】撮影画像にノイズプレーンを重ね合わせて表示させたイメージ図である。
【図１２】ノイズプレーンの例を示した図である。
【図１３】ノイズプレーンの例を示した図である。
【図１４】ノイズプレーンの例を示した図である。
【図１５】ＩＳＯ感度の選択時にノイズプレーンを重ね合わせて表示させたイメージ図である。
【図１６】撮影画像にノイズを重ね合わせて表示させたイメージ図である。
【符号の説明】
【００５１】
１００    デジタルカメラ
１０１    サブＬＣＤ
１０２    ＳＤカード／電池蓋
１０３    ストロボ発光部
１０４    測距ユニット
１０５    光学ファインダ
１０６    リモコン受光部
１０７    鏡銅ユニット
１０８    ＬＣＤモニタ
１０９    オートフォーカスＬＥＤ
１１０    ストロボＬＥＤ
【図１】
2007295281.tif 000003
【図２】
2007295281.tif 000004
【図３】
2007295281.tif 000005
【図４】
2007295281.tif 000006
【図５】
2007295281.tif 000007
【図６】
2007295281.tif 000008
【図７】
2007295281.tif 000009
【図８】
2007295281.tif 000010
【図９】
2007295281.tif 000011
【図１０】
2007295281.tif 000012
【図１１】
2007295281.tif 000013
【図１２】
2007295281.tif 000014
【図１３】
2007295281.tif 000015
【図１４】
2007295281.tif 000016
【図１５】
2007295281.tif 000017
【図１６】
2007295281.tif 000018